(57)【特許請求の範囲】
【請求項１】
多重化して出力され、かつカメラＩＤ信号が付加された複数のカメラからの映像信号を入力する入力手段と、
前記映像信号を記録する記録手段と、
前記記録手段に記録された記録映像信号をコピーするコピー手段と、
接続される表示器の１画面を分割して該１画面の中の互いに異なる表示位置を示す表示ＩＤ信号に基づいて複数の画像信号をマルチ表示するフレームスイッチャーやマルチプレクサに前記記録映像信号に対応する該画像信号を出力する出力手段と、
前記表示ＩＤ信号を前記記録映像信号に対応する画像信号に付加する表示ＩＤ付加手段を備え、
前記コピー手段によるコピー動作がないときは、前記カメラＩＤ信号に基づいて前記表示ＩＤ信号を前記記録映像信号に対応する画像信号に付加し、
前記コピー手段によるコピー動作があるときは、前記１画面の中の特定の表示位置を示す前記表示ＩＤ信号を該コピー動作の対象となる記録映像信号に対応する画像信号に付加することを特徴とする、記録機器。
【発明の詳細な説明】
【０００１】
【発明の属する技術分野】
監視システムにおいて、フレームスィッチャーあるいはマルチプレクサ-といった画面分割可能な機器と接続する記録機器に関するものである。
【０００２】
【従来の技術】
監視カメラシステムにおいては、複数のカメラからの映像信号やその複数のカメラからの映像信号が記録された記録装置から再生される映像信号を１つの画面に分割して表示するフレームスィッチャーあるいはマルチプレクサーが存在する。このフレームスイッチャー等は、１画面に複数の映像信号を分割表示するために、各カメラからの映像信号の垂直同期区間に異なるＩＤ情報を付加させて、そのＩＤ情報に従って画面のどの位置にどのカメラからの映像信号を表示するかを決める。
【０００３】
しかしながら、フレームスィッチャーあるいはマルチプレクサーと接続する記録機器の再生画において、スチルモードとし、この画面を、他の記録メディア（コンパクトフラッシュ（登録商標）＆メモリスチィック）にコピーを行なう場合など、停止する画面はスチルボタンの押されるタイミングによりどこのＣＨに停止するか分からない。コピー機能については、リムーバルな記録機器であるＶＣＲの場合には、殆ど行なわれないがＨＤＤを記録媒体とする記録機器においては、媒体そのものが上書きされること及び、リムーバルなシステム構成を採用しにくいという点において、重要な個所のみ別の記録媒体にコピーする機能を採用している。
【０００４】
同様にＨＤＤなどのディスク記録媒体では、ＶＣＲなどに比較してサーチ検出機能が豊富でありサーチ画面の検出設定画面なども、コピー時と同様のことが言え、停止する画面のタイミングによりＭＰＸ側の画面のどこに現れるかが、分からない。
【０００５】
【発明が解決しようとする課題】
例えば、コピー機能を例に取ると、１６ＣＨマルチプレクサなどではＴＶ画面上においてコピーしたい画面を検索する際に、コピーする動作をコピーを行ないたい画面を追いかけて行なわなければならない。しかしながら、１６ＣＨマルチプレクサーの画面はモニター画面上では小さく表示されるため、コピーなどの確認画面が小さくなり確認しにくいという問題があった。
【０００６】
【課題を解決するための手段】
上記コピー画面などの、動作を行なう際に再生されるＣＨ  ＩＤを使用せず、固定ＣＨ（例えばＣＨ１）のＩＤを記録機器側で、フレームスィッチャーあるいはマルチプレクサーにあったＩＤを付加して出力させる。
【０００７】
【発明の実施の形態】
本発明では、記録機器から、コピーなどの動作を行なう際に、フレームスィッチャーあるいはマルチプレクサーごとに、すでにＩＤ情報に関しては、事前に開示またはデコードできていているＩＤを情報を使用して、映像の出力回路に、切り替え回路を設けてマイコンおよびＦＰＧＡにてＩＤ（例えばＣＨ１）を付加させた信号を出力する。
【０００８】
本発明の一実施例としてＨＤＤを使用した記録機器に基づいて説明する。図１に示すように、本記録機器は、メインＩＣ(1)とその周辺回路で構成され、メインＩＣ(1)はＣＰＵ2と高速ハードを含んだＡＳＩＣ（ＣＰＵ以外の回路）で構成されている。図示していないが、複数のカメラが接続されたマルチプレクサと、そのマルチプレクサからの出力がビデオデコーダ21に入力される。映像信号はビデオレコーダ2でＡ／Ｄ変換され、メインＩＣ(1)のデジタルインターフェース3を通じてＡＳＩＣに入力され、バスライン4を経由してメモリ5に記録される。なお、６はメモリコントローラである。
メモリ5に送られたビデオ信号は記録用と、記録信号確認用のＥＥ信号とに分配される。確認用ビデオ信号は、ＡＳＩＣ内部に内蔵されたビデオＥＮＣブロック7にてビデオＤ／Ａ回路8によりＤ／Ａ変換され、Ｙ系信号はＩＤ打ち込むブロック9にてＩＤが付加され、更にＹ／Ｃ  ＭＩＸ回路10によってビデオ信号として出力される。記録用ビデオ信号はマルチプレクサ等から付加されたカメラＮＯ等をＶＢＩデータとして映像信号と共にＨＤＤ（図示せず）記録する。
【０００９】
本構成においては、ＡＳＩＣ内部のディジタル信号部分にてメニュー画面等を作成するして表示するＯＳＤ（オンスクリーン回路）ブロック11も存在し、メニュー等のＯＳＤ画面を表示するときにはビデオＥＮＣブロック7からの映像信号と切り換えて出力される。
メモリ5に記録された画像は、記録用にＭＪＰＥＧ（モーションＪＰＥＧ）回路12にて圧縮変換されＨＤＤ（図示せず）に記録可能になった時点にてバスライン4、ＩＤインターフェース13、バッファー14を経由してＨＤＤ（図示せず）に記録される。
【００１０】
再生時には、ＨＤＤ（図示せず）から読み出されたデータはバスライン4を経由して、メモリ5に記録され、再度バスライン4を通じて、ＭＪＰＥＧ回路12に送られ伸張される。伸張されたデータは再度バスライン4を通じて、メモリ5に送られビデオＥＮＣブロック7にてビデオＤ／Ａ回路8によりＤ／Ａ変換され、Ｙ系信号はＩＤ打ち込むブロック9にてＩＤが付加され、更にＹ／Ｃ  ＭＩＸ回路10によってビデオ信号として出力される。
【００１１】
なお、通常のシステム的な、処理（キー取り込み（オペレーションキー）22、表示、バックアップ）はサブマイコン15によりコントロールされる。また、１６はサムネールを作成する回路である。１７、１８はＡＩＳＣの基準信号発生回路である。１９はインターフェース回路でこの回路を通じて映像信号がフラッシュメモリ20にコピーされる。 図２は、ＩＤ打ち込み回路9の内部構成を示したブロック図である。ビデオＤ／Ａ回路8から出力されたＹ信号がサブマイコンからの出力であるＦＰＧＡモードＯＵＴ30によってコントロールされるビデオ切り替えＳＷ31によりＹ系信号を出すか、ＩＤ信号を付加したＹ系信号を出力するかが切り替えられる。
【００１２】
本ビデオ信号のＹ系出力は、別途同期分離ＩＣ(32)に送られて、ＦＰＧＡ用のＶ（垂直同期信号）＆Ｈ（水平同期信号）＆フィールド判別信号が作成される。ＦＰＧＡ33はＦＰＧＡモードＯＵＴ30のサブマイコン15によるＩＤ打ち込み指示と、同期分離ＩＣより送られたＶ（垂直同期信号）＆Ｈ（水平同期信号）＆フィールド判別信号により、ＩＤ打ち込み用タイミングパルスの２信号（ＩＤ切り替えＯＮ及びＩＤレベル切り替え信号）を作成する。ＩＤの信号は白レベルと黒レベルの２レベルが用意される。
【００１３】
ユーザは、まず本発明の記録機器が、どのメーカのフレームスイッチャー若しくはマルチプレクサと組み合わせて使用するか、メニュー画面でメーカを設定する。これは、ＩＤの内容及び映像信号のどの部分にＩＤを付加するかメーカ毎に異なるからである。
【００１４】
例えば、ユーザが特定の映像をフラッシュメモリ20等にコピーするときは、メニュー画面でコピーモードを設定し、本発明の記録機器に記録させた映像を再生状態やスチル状態にし、必要な場面でコピー動作を行う。また、不法侵入が有ったときにはＶＢＩデータにカメラナンバー等とともにアラーム信号が付加されて本記録機器に記録されており、ＶＢＩデータに基づいて、再生しながらアラーム画面を検索して表示することが出来る。このとき、マルチプレクサ等が分割表示状態の場合、だだ単にＶＢＩデータに付加されているカメラナンバーに基づいてＩＤを付加したとすれば、マルチプレクサに接続されたモニター画面のいろいろな位置にコピー画面やスチル画面が表示されて、ユーザはどの位置に表示されている画面がコピーモード若しくはスチル画面か判断しなければならず、煩わしいものとなってしまう。
【００１５】
そこで、再生されるカメラこのようなコピー動作やアラーム画面を検索するときは、ＶＢＩデータのカメラナンバーに関わらず、再生映像に特定のＩＤ（例えば、画面の左上の位置を示すＩＤ）のみ付加して、コピー画面や検索画面が１画面の特定の位置で表示されるようにする。なお、アラーム時にＶＢＩデータにその信号を付加する方法等は本発明と直接関係ないのでその説明を省略する。
【００１６】
図３は、このＩＤ打ち込み回路のタイミングを図３に示す。
ＩＤ信号は、映像信号のＶＢＩ信号位置に、たとえば５ＢＩＴの信号で１６ＣＨのＣＨ信号＋パリチィビットの情報を付加して、フレームスィッチャーあるいはマルチプレクサーに入力させる。
【００１７】
図４がサブマイコン部分の処理を示すフローチャート図である。コピーなどＩＤ使用する処理かを、判定しＦＰＧＡに対して出力ＯＮ信号及びＭＰＸのメーカー名などを送信する。まずマイコン側の処理であるが、ステップ１ではサブマイコン15は、本発明の記録機器の状態（どのようなモードになっているか）確認し、メニューのフラッシュメモリ20へコピーするためのコピー画面を表示した状態か判断する（Ｓ２）。コピー画面が表示された状態の場合は、マルチプレクサのＩＤ情報をＦＰＧＡ33に連絡する（Ｓ３）。マルチプレクサのＩＤ情報は、予めユーザがメニュー画面によって、本記録機器と接続するマルチプレクサを選択しておく必要がある。この選択された情報によって、どの内容のＩＤを付加するか決定される。
【００１８】
つぎに、続けてＦＰＧＡ側(33)の動作内容を示す。ステップ３によりＩＤを付加する場合であるが、付加する場合は映像信号の所定の位置から所定の位置まで白、黒の信号を付加する。映像信号の付加開始位置に来たとき（Ｓ４）、白信号を付加するか判断し、白信号付加位置では白信号、黒信号付加位置では黒信号を所定の位置まで付加を繰り返す（Ｓ５，Ｓ６，Ｓ７）。なお、ステップ２でコピー状態でない場合はＩＤを付加せず（Ｓ８）、通常画面を出力する（Ｓ９）。
【００１９】
このフレームスィッチャーあるいはマルチプレクサーは付加されたＩＤ情報に基づいて所定のカメラ画像を画面の所定位置に表示するが、ＩＤ自体はメーカが独自に設定するため、ＩＤ情報の内容が事前に開示またはデコードできていて、ＩＤパターンが判明している場合に限る。
【００２０】
また、本願発明の記録機器が、どこのメーカのマルチプレクサと組み合わせて使用するか（どのメーカのＩＤを付加するか）の選択は、本記録機器側にてメニュー画面などにて選択可能なようなシステムとし、その選択した結果を利用するシステムとする。
【００２１】
【発明の効果】
記録機器側にて各フレームスィッチャーあるいはマルチプレクサーに適応した、ＩＤを使えわけることにより、コピー時にＣＨ１（最も見やすい画面に位置）のみに注目すれば良いため、確認作業が容易となる。またコピー時だけでなく、サーチ画面及びメニュ画面時にＣＨ個定を行なえ、確認作業が容易となる。
【図面の簡単な説明】
【図１】本発明の一実施例であるＨＤＤを使用したＨＤＤ記録器のブロック図である。
【図２】本発明の一実施例であるＩＤ打ち込み部のブロック図である。
【図３】本発明の一実施例であるＩＤ打ち込み部のタイミングチャート図である。
【図４】本発明の一実施例であるＩＤ打ち込み判定フロー図である。
【符号の説明】
９  ：ＩＤ打ち込みブロック
１１  ：ＯＳＤ回路
１５  ：サブマイコン
２０  ：フラッシュメモリ
２２  ：オペレーションキー
【図１】
0004145064.tif 000002
【図２】
0004145064.tif 000003
【図３】
0004145064.tif 000004
【図４】
0004145064.tif 000005